【手続補正書】
【提出日】平成26年1月29日(2014.1.29)
【手続補正１】
【補正対象書類名】特許請求の範囲
【補正対象項目名】全文
【補正方法】変更
【補正の内容】
【特許請求の範囲】
【請求項１】
複数の導電性ナノ構造体と、
結合材料と、
感光性化合物と、
極性溶媒と
を含む、インク組成物。
【請求項２】
前記結合材料が、ポリビニルピロリドン、ポリビニルアルコール、ポリアクリルアミド、ポリアクリラート、ポリエチレンオキシド、ポリエチレンイミン、陰イオン性高分子電解質及び陽イオン性高分子電解質、ポリ（２−エチル−２−オキサゾリン）、ヒドロキシプロピルメチルセルロース、フタル酸ヒドロキシプロピルメチルセルロース、ヒドロキシプロピルセルロース、ヒドロキシブチルメチルセルロース、エチルヒドロキシエチルセルロース、カルボキシメチル−ヒドロキシエチルセルロースナトリウム、並びにカルボキシメチルエチルセルロースからなる群から選択される架橋性ポリマーである、請求項１に記載のインク組成物。
【請求項３】
前記架橋性ポリマーがポリビニルピロリドンである、請求項２に記載のインク組成物。
【請求項４】
前記架橋性ポリマーがヒドロキシプロピルメチルセルロースである、請求項２に記載のインク組成物。
【請求項５】
前記感光性化合物がＩＲＧＡＣＵＲＥ（登録商標）７５４である、請求項１から４のいずれか一項に記載のインク組成物。
【請求項６】
前記感光性化合物がオニウム塩である、請求項１から４のいずれか一項に記載のインク組成物。
【請求項７】
前記極性溶媒が極性指数が少なくとも４のプロトン性溶媒である、請求項１から６のいずれか一項に記載のインク組成物。
【請求項８】
前記極性溶媒が水、一価アルコール又は多価アルコールである、請求項７に記載のインク組成物。
【請求項９】
前記極性溶媒がポリプロピレングリコールモノメチルエーテルである、請求項８に記載のインク組成物。
【請求項１０】
前記導電性ナノ構造体が金属ナノワイヤである、請求項１から９のいずれか一項に記載のインク組成物。
【請求項１１】
前記金属ナノワイヤが銀ナノワイヤである、請求項１０に記載のインク組成物。
【請求項１２】
前記金属ナノワイヤが長さ１０μｍ超であり、直径１００ｎｍ未満である、請求項１１に記載のインク組成物。
【請求項１３】
界面活性剤を更に含む、請求項１から１２のいずれか一項に記載のインク組成物。
【請求項１４】
共溶媒を更に含む、請求項１から１３のいずれか一項に記載のインク組成物。
【請求項１５】
前記共溶媒が極性溶媒である、請求項１４に記載のインク組成物。
【請求項１６】
前記結合材料と前記ナノ構造体の重量比が約０．１：１から約１０：１である、請求項１から１５のいずれか一項に記載のインク組成物。
【請求項１７】
粘度が約１から１０００ｃＰの間である、請求項１から１５のいずれか一項に記載のインク組成物。
【手続補正２】
【補正対象書類名】明細書
【補正対象項目名】００１１
【補正方法】変更
【補正の内容】
【００１１】
図面において、同一の参照番号は、類似の要素又は行為を示す。図中の要素のサイズ及び相対位置は、必ずしも一定の縮尺で描かれてはいない。例えば、種々の要素の形状、及び角度は、一定の縮尺で描かれておらず、これらの要素の一部は、図を読みやすくするために、任意に拡大され、配置されている。さらに、描かれた要素の特定の形状は、特定の要素の実際の形状に関する任意の情報を伝えるようには意図されておらず、単に図中の読み取りを容易にするために選択された。
一実施形態において、例えば、以下の項目が提供される。
（項目１）
複数の導電性ナノ構造体と、
結合材料と、
感光性化合物と、
極性溶媒と
を含む、インク組成物。
（項目２）
前記結合材料が、ポリビニルピロリドン、ポリビニルアルコール、ポリアクリルアミド、ポリアクリラート、ポリエチレンオキシド、ポリエチレンイミン、陰イオン性高分子電解質及び陽イオン性高分子電解質、ポリ（２−エチル−２−オキサゾリン）、ヒドロキシプロピルメチルセルロース、フタル酸ヒドロキシプロピルメチルセルロース、ヒドロキシプロピルセルロース、ヒドロキシブチルメチルセルロース、エチルヒドロキシエチルセルロース、カルボキシメチル−ヒドロキシエチルセルロースナトリウム、並びにカルボキシメチルエチルセルロースからなる群から選択される架橋性ポリマーである、項目１に記載のインク組成物。
（項目３）
前記架橋性ポリマーがポリビニルピロリドンである、項目２に記載のインク組成物。
（項目４）
前記架橋性ポリマーがヒドロキシプロピルメチルセルロースである、項目２に記載のインク組成物。
（項目５）
前記感光性化合物がＩＲＧＡＣＵＲＥ（登録商標）７５４である、項目１から４のいずれか一項に記載のインク組成物。
（項目６）
前記感光性化合物がオニウム塩である、項目１から４のいずれか一項に記載のインク組成物。
（項目７）
前記極性溶媒が極性指数が少なくとも４のプロトン性溶媒である、項目１から６のいずれか一項に記載のインク組成物。
（項目８）
前記極性溶媒が水、一価アルコール又は多価アルコールである、項目７に記載のインク組成物。
（項目９）
前記極性溶媒がポリプロピレングリコールモノメチルエーテルである、項目８に記載のインク組成物。
（項目１０）
前記導電性ナノ構造体が金属ナノワイヤである、項目１から９のいずれか一項に記載のインク組成物。
（項目１１）
前記金属ナノワイヤが銀ナノワイヤである、項目１０に記載のインク組成物。
（項目１２）
前記金属ナノワイヤが長さ１０μｍ超であり、直径１００ｎｍ未満である、項目１１に記載のインク組成物。
（項目１３）
界面活性剤を更に含む、項目１から１２のいずれか一項に記載のインク組成物。
（項目１４）
共溶媒を更に含む、項目１から１３のいずれか一項に記載のインク組成物。
（項目１５）
前記共溶媒が極性溶媒である、項目１４に記載のインク組成物。
（項目１６）
前記結合材料と前記ナノ構造体の重量比が約０．１：１から約１０：１である、項目１から１５のいずれか一項に記載のインク組成物。
（項目１７）
粘度が約１から１０００ｃＰの間である、項目１から１５のいずれか一項に記載のインク組成物。
（項目１８）
インク組成物を基体に堆積させることによって相互接続性導電性ナノ構造体の薄膜を前記基体上に形成する工程、（前記インク組成物は、複数の導電性ナノ構造体、結合材料、感光性化合物、及び極性溶媒を含む）、及び前記極性溶媒を除去する工程、並びに
前記薄膜の一部をＵＶ光源に曝露して、前記薄膜の曝露部分の前記架橋性ポリマーを架橋する工程
を包含する、方法。
（項目１９）
前記薄膜上にマスクを配置する工程を更に含み、前記マスクが前記ＵＶ光源に曝露される前記薄膜の前記部分に対応する開口部を含む、項目１８に記載の方法。
（項目２０）
前記ＵＶ光源に曝露されていない前記薄膜の一部を溶解させる工程を更に含む、項目１８に記載の方法。
（項目２１）
前記結合材料が、ポリビニルピロリドン、ポリビニルアルコール、ポリアクリルアミド、ポリアクリラート、ポリエチレンオキシド、ポリエチレンイミン、陰イオン性高分子電解質及び陽イオン性高分子電解質、並びにポリ（２−エチル−２−オキサゾリン）からなる群から選択される架橋性ポリマーである、項目１８に記載の方法。
（項目２２）
前記架橋性ポリマーがポリビニルピロリドンである、項目２１に記載の方法。
（項目２３）
前記結合材料が、ヒドロキシプロピルメチルセルロース、フタル酸ヒドロキシプロピルメチルセルロース、ヒドロキシプロピルセルロース、ヒドロキシブチルメチルセルロース、エチルヒドロキシエチルセルロース、カルボキシメチル−ヒドロキシエチルセルロースナトリウム及びカルボキシメチルエチルセルロースからなる群から選択される架橋性ポリマーである、項目１８に記載の方法。
（項目２４）
前記架橋性ポリマーがヒドロキシプロピルメチルセルロースである、項目２２に記載の方法。
（項目２５）
前記感光性化合物がＩＲＧＡＣＵＲＥ（登録商標）７５４である、項目１８に記載の方法。
（項目２６）
前記極性溶媒が、極性指数が少なくとも４のプロトン性溶媒である、項目１８に記載の方法。
（項目２７）
前記極性溶媒が水、一価アルコール又は多価アルコールである、項目２６に記載の方法。
（項目２８）
前記極性溶媒がポリプロピレングリコールモノメチルエーテルである、項目２６に記載の方法。
（項目２９）
前記導電性ナノ構造体が金属ナノワイヤである、項目１８から２８のいずれか一項に記載の方法。
（項目３０）
前記金属ナノワイヤが長さ１０μｍ超であり、直径１００ｎｍ未満である、項目２９に記載の方法。
（項目３１）
複数の相互接続性導電性ナノ構造体と、
結合材料と、
感光性化合物と
を含む導電膜であって、前記相互接続性導電性ナノ構造体は前記結合材料に包埋されている、導電膜。
（項目３２）
前記結合材料が、ポリビニルピロリドン、ポリビニルアルコール、ポリアクリルアミド、ポリアクリラート、ポリエチレンオキシド、ポリエチレンイミン、陰イオン性高分子電解質及び陽イオン性高分子電解質、並びにポリ（２−エチル−２−オキサゾリン）からなる群から選択される架橋性ポリマーである、項目３１に記載の導電膜。
（項目３３）
前記架橋性ポリマーがポリビニルピロリドンである、項目３２に記載の導電膜。
（項目３４）
前記結合材料が、ヒドロキシプロピルメチルセルロース、フタル酸ヒドロキシプロピルメチルセルロース、ヒドロキシプロピルセルロース、ヒドロキシブチルメチルセルロース、エチルヒドロキシエチルセルロース、カルボキシメチル−ヒドロキシエチルセルロースナトリウム及びカルボキシメチルエチルセルロースからなる群から選択される架橋性ポリマーである、項目３１に記載の導電膜。
（項目３５）
前記架橋性ポリマーがヒドロキシプロピルメチルセルロースである、項目３４に記載の導電膜。
（項目３６）
前記感光性化合物が光開始剤である、項目３５に記載の導電膜。
（項目３７）
前記光開始剤がＩＲＧＡＣＵＲＥ（登録商標）７５４である、項目３６に記載の導電膜。
（項目３８）
前記導電性ナノ構造体が金属ナノワイヤである、項目３１から３７のいずれか一項に記載の導電膜。
（項目３９）
前記金属ナノワイヤが長さ１０μｍ超であり、直径１００ｎｍ未満である、項目３８に記載の導電膜。
（項目４０）
第１の領域と第２の領域を含む項目３１から３９のいずれか一項に記載の導電膜であって、前記第１の領域の前記架橋性ポリマーが架橋され、前記第２の領域の前記架橋性ポリマーが除去される、導電膜。
（項目４１）
前記第１の領域が前記第２の領域よりも導電性である、項目４０に記載の導電膜。
（項目４２）
前記感光性化合物が熱活性化可能である、項目３１から３９のいずれか一項に記載の導電膜。
（項目４３）
前記感光性化合物がオニウム塩である、項目４２に記載の導電膜。
（項目４４）
第１の領域と第２の領域を含む項目４２及び４３のいずれか一項に記載の導電膜であって、前記第１の領域の前記感光性化合物が光分解され、前記第２の領域の前記感光性化合物が熱分解された、導電膜。
（項目４５）
前記第１の領域が前記第２の領域よりも導電性である、項目４４に記載の導電膜。
（項目４６）
前記第１の領域が第１の曇価を有し、前記第２の領域が第２の曇価を有し、前記第１の曇価と前記第２の曇価が互いと１０％以下だけ異なる、項目４４に記載の導電膜。
（項目４７）
インク組成物を基体に堆積させることによって相互接続性導電性ナノ構造体の薄膜を前記基体上に形成する工程（前記インク組成物は、複数の導電性ナノ構造体、結合剤材料、熱活性化可能な感光性化合物、及び極性溶媒を含む）、及び前記極性溶媒を除去する工程、
前記薄膜上にマスクを配置する工程（前記マスクは、開口部を含み、前記薄膜をマスク領域と非マスク領域に画定し、前記非マスク領域は前記開口部に対応する）、
前記薄膜をＵＶ光源に前記マスクの前記開口部を通して第１の温度で曝露して前記非マスク領域の前記感光性化合物の光分解を引き起こす工程、並びに
前記薄膜を熱源に暗所で第２の温度で曝露して前記マスク領域の前記感光性化合物の熱分解を引き起こす工程
を包含する、方法。
（項目４８）
前記感光性化合物の光分解が、前記非マスク領域の前記ナノ構造体に構造上の損傷を与えない、項目４７に記載の方法。
（項目４９）
前記感光性化合物の熱分解が、前記マスク領域の前記ナノ構造体に構造上の損傷を与える、項目４７及び４８のいずれか一項に記載の方法。
（項目５０）
前記曝露後、前記非マスク領域が前記マスク領域よりも導電性である、項目４７から４９のいずれか一項に記載の方法。
（項目５１）
前記曝露後、前記非マスク領域の曇価が前記マスク領域と１０％以下だけ異なる、項目４７から５０のいずれか一項に記載の方法。
（項目５２）
前記感光性化合物が光酸発生剤である、項目４７から５１のいずれか一項に記載の方法。
（項目５３）
前記光酸発生剤がジアリールヨードニウム塩又はトリアリールスルホニウム塩である、項目５２に記載の方法。
（項目５４）
前記光酸発生剤がジフェニルヨードニウム塩であり、前記ジフェニルヨードニウム塩の対イオンが塩化物イオン、硝酸イオン、テトラフルオロボラート、ヘキサフルオロホスファート、ヘキサフルオロアルセナート又はヘキサフルオロアンチモナートである、項目５３に記載の方法。